(57)【要約】【課題】  所望の情報を求める者と当該情報を与える者とを容易に結びつけることのできる情報端末装置を提供する。【解決手段】  所定範囲内にある他の情報端末装置が送信した情報提供が可能なことを知らせる情報提供信号を受信する第１の通信手段（１２、１３）と、前記情報提供信号を送信した他の情報端末装置との間で情報の授受を行う、前記第１の通信手段と異なる通信方式を有する第２の通信手段（１４、２５）と、前記第２の通信手段が他の情報端末装置から受信した第１の情報を基に、第２の情報を更に取得するか否かを判定する情報取得判定手段（２６）とを備えた情報端末装置である。【選択図】    図３
2006166026.tif 000002
【特許請求の範囲】
【請求項１】
被写体を撮影する撮影手段を有する情報端末装置であって、
所定範囲内にある他の情報端末装置が送信した情報提供が可能なことを知らせる情報提供信号を受信する第１の通信手段と、
前記情報提供信号を送信した他の情報端末装置との間で情報の授受を行う、前記第１の通信手段と異なる通信可能範囲を有する第２の通信手段と、
前記第２の通信手段が他の情報端末装置から受信した第１の情報を基に、第２の情報を更に取得するか否かを判定する情報取得判定手段と
を備えたことを特徴とする情報端末装置。
【請求項２】
前記情報提供信号は、前記情報提供信号を送信する前記情報端末装置を特定するアドレスを含むことを特徴とする請求項１に記載の情報端末装置。
【請求項３】
前記第１の通信手段は、前記他の端末装置の前記第１の通信手段が受信する前記情報提供信号を送信することが可能であることを特徴とする請求項２に記載の情報端末装置。
【請求項４】
前記第１の通信手段は、前記第２の通信手段よりも狭い指向性を有し、その指向性による前記情報提供信号の受信可能範囲は前記撮影手段の撮影可能範囲と同等か又は狭いことを特徴とする請求項２又は３に記載の情報端末装置。
【請求項５】
前記第１の情報又は第２の情報を受信したときに、前記撮影手段を用いて撮影する撮影制御手段と、
少なくとも前記撮影手段で撮影した画像と、前記第１の情報又は第２の情報の少なくとも一方を記憶する情報メモリと
を更に備えたことを特徴とする請求項４に記載の情報端末装置。
【請求項６】
前記情報取得判定手段の判定条件を設定する情報取得条件設定手段を更に有することを特徴とする請求項５に記載の情報端末装置。
【請求項７】
前記第２の通信手段が他の情報端末装置から情報の提供を要求する情報要求信号を受信したときは、他の情報端末装置に対して情報を提供するか否かを判定する情報提供判定手段と、
前記情報提供判定手段の判定条件を設定する情報提供条件設定手段と
を更に備えたことを特徴とする請求項５に記載の情報端末装置。
【請求項８】
前記情報メモリは、他の情報端末装置に提供する第３の情報を更に記憶し、
前記情報提供判定手段が情報を提供すると判定したときは、前記第２の通信手段は、前記第３の情報を他の情報端末装置に対して送信すること
を特徴とする請求項７に記載の情報端末装置。
【請求項９】
情報取得・提供動作のモードを指定するモード指定手段と、
前記指定されたモードに対応して情報取得・提供動作を制御する動作制御手段とを有し、
前記モードが情報取得モードの場合には、前記動作制御手段は、前記情報提供信号を送信している他の情報端末装置から情報を取得し、
前記モードが情報提供モードの場合には、前記動作制御手段は、他の情報端末装置からの情報要求信号に応じて情報を提供し、
前記モードが相互取得モードの場合には、前記動作制御手段は、他の情報端末装置から情報を取得するとともに、当該他の情報端末装置に情報を提供すること
を特徴とする請求項５乃至８のいずれか１項に記載の情報端末装置。
【請求項１０】
前記情報メモリが前記第１の情報又は第２の情報の少なくとも一方を記憶したときは、情報取得があったことを通知するアラーム手段をさらに有することを特徴とする請求項５乃至９の内いずれか１項に記載の情報端末装置。
【発明の詳細な説明】
【技術分野】
【０００１】
本発明は、情報端末装置に関し、特に所望の情報を求める者と当該情報を与える者とを容易に結びつけることのできる情報端末装置に関する。
【背景技術】
【０００２】
パーティや懇親会などでは名刺交換が一般に行われ、仕事上での有益な情報の収集の場としても利用されている。しかし、紹介者がいない場合には、知り合いになりたい相手、所望の情報を与えてくれる相手を見つけ出すことはなかなか難しい。
【０００３】
そこで、特許文献１には、自動的に名刺情報を交換し、それをディスプレイに表示することで、使用者が名刺情報交換のための操作を行う必要がなくなるとする技術が開示されている。
【特許文献１】特開２０００−３０７７８８号公報
【発明の開示】
【発明が解決しようとする課題】
【０００４】
ところで、所望の情報を得るためには、一方の人が情報を得たいとの意思をもつだけでは不十分である。他方の人が情報を与えても良いとする意思を有することが必要である。しかしながら、特許文献１に記載の技術を用いても、事前に両者の意思が合致しているかどうかを判断することはできない。即ち、相手から所望の情報を与えてもらえるかどうか、また、逆に相手から情報の提供を求められた際にその要求に応じるかどうかという、双方向の情報をサポートする技術については特許文献１には記載されていない。
【０００５】
本発明は係る事情に鑑みてなされたものであって、所望の情報を求める者と当該情報を与える者とを容易に結びつけることのできる情報端末装置を提供することを目的とする。
【課題を解決するための手段】
【０００６】
上記課題を解決するための、本発明に係る請求項１に記載の情報端末装置は、被写体を撮影する撮影手段を有する情報端末装置であって、所定範囲内にある他の情報端末装置が送信した情報提供が可能なことを知らせる情報提供信号を受信する第１の通信手段と、  前記情報提供信号を送信した他の情報端末装置との間で情報の授受を行う、前記第１の通信手段と異なる通信可能範囲を有する第２の通信手段と、前記第２の通信手段が他の情報端末装置から受信した第１の情報を基に、第２の情報を更に取得するか否かを判定する情報取得判定手段とを備えた。
【０００７】
また本発明に係る請求項２に記載の情報端末装置は、上記記載の発明である情報端末装置において、前記情報提供信号は、前記情報提供信号を送信する前記情報端末装置を特定するアドレスを含む。
【０００８】
また本発明に係る請求項３に記載の情報端末装置は、上記記載の発明である情報端末装置において、前記第１の通信手段は、前記他の端末装置の前記第１の通信手段が受信する前記情報提供信号を送信することが可能である。
【０００９】
また本発明に係る請求項４に記載の情報端末装置は、上記記載の発明である情報端末装置において、前記第１の通信手段は、前記第２の通信手段よりも狭い指向性を有し、その指向性による前記情報提供信号の受信可能範囲は前記撮影手段の撮影可能範囲と同等か又は狭い。
【００１０】
また本発明に係る請求項５に記載の情報端末装置は、上記記載の発明である情報端末装置において、前記第１の情報又は第２の情報を受信したときに、前記撮影手段を用いて撮影する撮影制御手段と、少なくとも前記撮影手段で撮影した画像と、前記第１の情報又は第２の情報の少なくとも一方を記憶する情報メモリとを更に備えた。
【００１１】
また本発明に係る請求項６に記載の情報端末装置は、上記記載の発明である情報端末装置において、前記情報取得判定手段の判定条件を設定する情報取得条件設定手段を更に有する。
【００１２】
また本発明に係る請求項７に記載の情報端末装置は、上記記載の発明である情報端末装置において、前記第２の通信手段が他の情報端末装置から情報の提供を要求する情報要求信号を受信したときは、他の情報端末装置に対して情報を提供するか否かを判定する情報提供判定手段と、前記情報提供判定手段の判定条件を設定する情報提供条件設定手段とを更に備えた。
【００１３】
また本発明に係る請求項８に記載の情報端末装置は、上記記載の発明である情報端末装置において、前記情報メモリは、他の情報端末装置に提供する第３の情報を更に記憶し、  前記情報提供判定手段が情報を提供すると判定したときは、前記第２の通信手段は、前記第３の情報を他の情報端末装置に対して送信する。
【００１４】
また本発明に係る請求項９に記載の情報端末装置は、上記記載の発明である情報端末装置において、情報取得・提供動作のモードを指定するモード指定手段と、前記指定されたモードに対応して情報取得・提供動作を制御する動作制御手段とを有し、前記モードが情報取得モードの場合には、前記動作制御手段は、前記情報提供信号を送信している他の情報端末装置から情報を取得し、前記モードが情報提供モードの場合には、前記動作制御手段は、他の情報端末装置からの情報要求信号に応じて情報を提供し、前記モードが相互取得モードの場合には、前記動作制御手段は、他の情報端末装置から情報を取得するとともに、当該他の情報端末装置に情報を提供する。
【００１５】
また本発明に係る請求項１０に記載の情報端末装置は、上記記載の発明である情報端末装置において、前記情報メモリが前記第１の情報又は第２の情報の少なくとも一方を記憶したときは、情報取得があったことを通知するアラーム手段をさらに有する。
【発明の効果】
【００１６】
本発明によれば、所望の情報を求める者と当該情報を与える者とを容易に結びつけることができる。
【発明を実施するための最良の形態】
【００１７】
［第１の実施の形態］
図１は、本発明の実施の態様を説明する図である。図１に示すように、本発明では情報を取得する側、情報を提供する側のいずれもが情報端末装置１を装着することを前提としている。この情報端末装置１は、例えば、ペンダントなどのアクセサリとして首に掛けても良く、また名札のように上衣に装着できるものであっても良い。そして、この情報端末装置１を介して情報の授受が行われる。またこの情報端末装置１を介して、容易に取得した情報を確認することができる。
【００１８】
図２は、本発明の実施の形態に係る情報端末装置１の外形図である。図２の（１）は表面の外観構成を示し、図２の（２）は裏面の外観構成を示している。
【００１９】
情報端末装置１の表面には、カメラのレンズ１０、発光部１２、受光部１３、アンテナ１４が設けられている。情報端末装置１の裏面には、表示部１５、操作部１６が設けられている。
【００２０】
カメラ１１は、被写体の光像を受光して撮像部２１で撮影する。発光部１２は、情報を提供することが可能であることを告知する赤外線信号を送信し、受光部１３は、相手からの告知信号を受信する。ここで、赤外線を用いているのは、カメラ１１が撮影する範囲（領域）内にある端末装置からの情報告知信号のみが受信できるように、指向性を備えるようにするためである。従って、指向性があれば、赤外線に限られず可視光や超音波を用いることもできる。一方、更に詳細の情報、大量の情報の授受については電波を用いる。アンテナ１４は、電波により情報を送受信するのに用いられる。表示部１５は、取得した情報などを表示する。操作部１６は、ユーザが情報端末装置１に対して、種々の動作を指示し、データを設定するための操作部材である。
【００２１】
図３は、本発明の実施の形態に係る情報端末装置１のブロック図である。以下、各部の構成と動作を図３を参照しつつ説明する。
【００２２】
コントローラ２０は、情報端末装置１の各部の動作を統括して制御する。レンズ１０を介して導かれた被写体光像は、撮影部２１で画像データに変換され、情報メモリ２２に保存される。さらに、画像データは、コントローラ２０を介して表示部１５に表示することができる。
【００２３】
また、コントローラ２０は、事故のアドレスを含み、情報提供が可能である旨を告知する信号（以下、情報提供信号という。）をエンコーダ２３で生成し発光部１２に出力する。発光部１２は、赤外線信号としてその情報を送信する。受光部１３は、相手から情報提供信号を受信し、デコーダ２４で信号に含まれる情報提供信号を発信している情報端末装置のアドレスを抽出してコントローラ２０に出力する。コントローラ２０は、これによって情報提供可能な情報端末装置を検知し、情報端末装置から情報を取得する。
【００２４】
情報はアンテナ１４を介した電波による無線通信によって送受信される。相手への情報の送信は、コントローラ２０から送出された情報を通信部２５が電波による信号に変換してアンテナ１４に出力することで行われる。相手からの情報は、通信部２５が受信して判定部２６に出力する。判定部２６は、受信した情報を取得すべき情報か否かを判定し、取得すべきと判定した場合にはその情報を情報メモリ２２に格納する。また判定部２６は、相手に対して情報を送り出すかどうかの判定を行う。さらに、判定部２６が判定を行うための基準は条件メモリ２７に格納されている。また、情報の格納が行われたときは、アラーム部２８がその旨をユーザに知らせることができる。
【００２５】
続いて、本実施の形態に係る情報端末装置１の動作について、図４乃至図８を参照しつつ説明する。
【００２６】
図４、図５は、情報端末装置１を使用した情報の授受手順を示すフロー図である。ここで、情報端末Ａは情報を取得する側の端末であり、情報端末Ｂは情報を提供する側の端末を表している。
【００２７】
情報端末Ａの所持者（以下、ユーザという）は、ステップＳ０１において、情報端末Ａに対して初期設定を実行する。
【００２８】
図６は、情報端末装置１の使用に際しての初期設定処理の手順を示すフロー図である。
【００２９】
ステップＰ０１〜Ｐ０２において、ユーザは操作部１６から標準情報を入力し、コントローラ２０は、情報メモリ２２に記憶する。標準情報とは、ユーザが情報の授受を行うか否かを判断するために用いる情報である。標準情報には、例えば、企業のパーティにおいては名刺に記載されているような内容、即ち、所属企業名、業種、職種、肩書きなどの身元確認情報が該当する。この標準情報は提供先を限定せず常に相手に提供される一般的な情報である。
【００３０】
ステップＰ０３〜Ｐ０４において、ユーザは操作部１６から自由情報を入力し、コントローラ２０は、情報メモリ２２に記憶する。自由情報とは、ユーザを更に詳細に特定するための情報であり、例えば、自己紹介で提供されるような内容、即ち、趣味、家族構成、出身地、住所などが該当する。この自由情報は、ユーザが提供しても良いと決めた相手にのみ提供される。
【００３１】
ステップＰ０５〜Ｐ０６において、ユーザは操作部１６から情報提供条件を入力し、コントローラ２０は、条件メモリ２７に記憶する。情報提供条件の設定では、自由情報を相手にどの程度まで与えるかを指定する。例えば、自由情報の各項目ごとに提供の許否を設定することもでき、また情報そのままではなく、概略の情報（例えば、八王子→東京→関東）に変形して与えることを指定（レベル指定）することもできる。更に、与える情報の内容、及びそのレベルを相手に応じて変更することもできる。
【００３２】
ステップＰ０７〜Ｐ０８において、ユーザは操作部１６から情報取得条件を入力し、コントローラ２０は、条件メモリ２７に記憶する。情報取得条件の設定では、情報を得たいと考える相手が備えるべき条件を標準情報の各項目について指定する。例えば、業種は光学機器メーカ、職種は研究開発者、肩書きは課長などと指定する。
【００３３】
図４に戻り、ステップＳ０２において、ユーザは情報端末Ａを装着して所定の会合などに出席する。そして操作部１６を操作して、情報端末Ａを自動で情報を取得する自動取得モードに設定する。
【００３４】
同様に、情報端末Ｂのユーザも、ステップＴ０１において、情報端末Ｂに対して初期設定を実行する。初期設定の手順は、図６に示す手順と同一であるため、その詳細の説明は省略する。ステップＴ０２において、ユーザは情報端末Ｂを装着して所定の会合などに出席し、操作部１６を操作して情報端末Ｂを自動で情報を提供する自動提供モードに設定する。ステップＴ０３において、情報端末Ｂは、情報を提供することが可能であることを告知する情報提供信号を発光部１２を介して送信を開始する。
【００３５】
情報端末Ａのユーザと情報端末Ｂのユーザとが会合において情報提供信号が検出可能な範囲（領域）内に近づいたとき、ステップＳ０３において、情報端末Ａの受光部１３は、情報端末Ｂの送信する情報提供信号を受信する。この信号には、情報端末Ｂのアドレスが含まれている。そこで、情報端末Ａは、このアドレスを有する情報端末に対して情報を要求する。即ち、ステップＳ０４において、情報端末Ａの通信部２５は、自己のアドレス情報を含む標準情報要求信号をアンテナ１４を介して送信する。
【００３６】
ステップＴ０４〜Ｔ０６において、情報端末Ｂの通信部２５はアンテナを介して標準情報要求信号を受信すると、信号に含まれる情報端末Ａのアドレスを抽出し、情報メモリ２２を検索して標準情報を読み出して、情報端末Ａ宛に送信する。
【００３７】
ステップＳ０５〜Ｓ０６において、情報端末Ａでは、標準情報を受信すると、判定部２６が、受信した標準情報が条件メモリ２７にある情報取得条件に当てはまるかどうかを調べる。
【００３８】
ステップＳ０６においてＮｏの場合、即ち、受信した標準情報が情報取得条件に当てはまらない場合は、ステップＳ０７において以降の情報の送受信の中止を指示する中止情報を生成し、ステップＳ０９においてその中止情報を情報端末Ｂに送信する。一方、ステップＳ０６においてＹｅｓの場合、即ち、受信した標準情報が条件メモリ２７にある情報取得条件に適合する場合は、ステップＳ０８において、受信した標準情報を情報メモリ２２に記憶すると共に、自らの標準情報を情報メモリ２２から読み出し、ステップＳ０９においてその標準情報を情報端末Ｂに送信する。
【００３９】
情報端末Ｂでは、ステップＴ１０〜Ｔ１１において、受信した情報が中止情報かどうかを調べ、中止情報である場合は、ステップＴ１２において、情報の提供を中止する。一方、受信した情報が標準情報である場合は、判定部２６は、ステップＴ１３において、受信した標準情報が情報提供条件に当てはまるか否かを調べる。ステップＴ１３でＮｏの場合は、ステップＴ１４において、中止情報を生成し、ステップＴ１３でＹｅｓの場合は、ステップＴ１５において、受信した標準情報を情報メモリ２２に記憶すると共に、自らの自由情報を情報メモリ２２から読み出す。そして、ステップＴ１６において、自由情報または中止情報を情報端末Ａに送信する。
【００４０】
情報端末Ａでは、ステップＳ１１〜Ｓ１２において、受信した情報が中止情報かどうかを調べ、中止情報である場合は、ステップＳ１３において、情報の提供を中止する。一方、受信した情報が自由情報である場合は、ステップＳ１４〜Ｓ１５において、受信した自由情報を情報メモリ２２に記憶すると共に、撮像部２１が撮影する。そしてその撮影した画像を情報メモリ２２に記憶する。そして、ステップＳ１６において、情報の取得が完了した旨の情報を情報端末Ｂに送信するとともに、情報の受信が行われたことを情報端末Ａのユーザに通知する。この通知は例えば、音、振動などで行うことができる。
【００４１】
情報端末Ａのユーザは、この通知を受けた後、取得した情報や撮影した画像を表示部１５で確認することができる。なお、情報端末Ｂの情報提供信号は、端末装置Ａの撮影範囲内で検出可能となるため、撮影した画像には端末装置Ｂを装着したユーザが写っていることになる。そこで、適切と判断した場合は、情報取得後、又は時間が経ってからでも、そのユーザに対して例えばビジネス的な行動を起こすことができる。
【００４２】
〔第２の実施の形態〕
第１の実施の形態では、情報を提供する側と情報を取得する側とが分かれていた。即ち、一方の方向への情報提供方法について説明した。これに対して、第２の実施の形態では、情報を提供するだけでなく情報の取得も行う。即ち、双方向に情報を提供する点で、第１の実施の形態と異なっている。従って、第１の実施の形態と同一の部位には同一の符号を付してその詳細の説明を省略する。
【００４３】
図７、図８は、情報端末装置１を使用した情報交換の手順を示すフロー図である。ここで、情報端末Ａ、情報端末Ｂは情報を取得すると共に情報を提供するための端末である。
【００４４】
情報端末Ａのユーザは、ステップＳ２１において、情報端末Ａに対して初期設定を実行する。この初期設定処理の手順は、図６に示す手順と同一であるため、その詳細の説明は省略する。ステップＳ２２において、ユーザは情報端末Ａを装着して所定の会合などに出席し、操作部１６を操作して情報端末Ａを自動で情報を相互に取得する自動相互取得モードに設定すると、ステップＳ２３において、情報端末Ａは、情報を提供する用意がある旨の信号（情報提供信号）を発光部１２を介して送信を開始する。
【００４５】
同様に、情報端末Ｂのユーザも、ステップＴ２１において、情報端末Ｂに対して初期設定を実行する。初期設定の手順は、図６に示す手順と同一であるため、その詳細の説明は省略する。ステップＴ２２において、ユーザは情報端末Ｂを装着して所定の会合などに出席し、操作部１６を操作して情報端末Ｂを自動で情報を相互に取得する自動相互取得モードに設定すると、ステップＴ２３において、情報端末Ｂは、情報提供信号を発光部１２を介して送信を開始する。
【００４６】
情報端末Ａのユーザと情報端末Ｂのユーザとが会合において情報提供信号が検出可能な範囲（領域）内に近づいたとき、ステップＳ２４において、情報端末Ａの受光部１３は、情報端末Ｂの送信する情報提供信号を受信し、信号に含まれている情報端末Ｂのアドレスを抽出する。そして、ステップＳ２５〜Ｓ２６において、自らの標準情報を読み出し、情報端末Ａの通信部２５は、読み出した標準情報、モード情報、自らのアドレス情報と共に相手の標準情報を要求する信号をアンテナ１４を介して情報端末Ｂ宛に送信する。
【００４７】
ステップＴ２４〜Ｔ２５において、情報端末Ｂでは、標準情報要求を受信すると、判定部２６が、受信した標準情報が条件メモリ２７にある情報提供条件に当てはまるかどうかを調べる。
【００４８】
ステップＴ２５においてＮｏの場合、即ち、受信した標準情報が情報提供条件に当てはまらない場合は、ステップＴ２６において中止を指示する中止情報を生成し、ステップＴ２８においてその中止情報を情報端末Ａに送信する。一方、ステップＴ２５においてＹｅｓの場合、即ち、受信した標準情報が情報提供条件に適合する場合は、ステップＴ２７において、受信した標準情報を情報メモリ２２に記憶すると共に、自らの標準情報を情報メモリ２２から読み出し、ステップＴ２８においてその標準情報と共に自由情報要求信号を情報端末Ａ宛に送信する。
【００４９】
情報端末Ａでは、ステップＳ３０〜Ｓ３１において、受信した情報が中止情報かどうかを調べ、中止情報である場合は、ステップＳ３２において、情報の提供を中止する。一方、受信した情報が標準情報である場合は、判定部２６は、受信した標準情報が情報要求条件に当てはまるか否かを調べる。ステップＳ３３でＮｏの場合は、ステップＳ３４において、中止情報を生成し、ステップＳ３６において、中止情報を情報端末Ａに送信する。ステップＳ３３でＹｅｓの場合は、ステップＳ３５で受信した標準情報を情報メモリ２２に記憶し、ステップＳ３６において、自由情報要求信号を情報端末Ｂ宛に送信する。
【００５０】
情報端末Ｂでは、ステップＴ３０〜Ｔ３１において、受信した情報が中止情報かどうかを調べ、中止情報である場合は、ステップＴ３２において、情報の提供を中止する。一方、受信した情報が自由情報要求である場合は、ステップＴ３３において、自らの自由情報を読み出す。そして、ステップＴ３４において、自由情報と自由情報要求信号を情報端末Ａ宛に送信する。
【００５１】
情報端末Ａでは、ステップＳ４０において、自由情報と自由情報要求信号を受信すると、ステップＳ４１〜Ｓ４２において、受信した自由情報を情報メモリ２２に記憶すると共に、撮像部２１が撮影してその撮影画像を情報メモリ２２に記憶する。そして、ステップＳ４３において、情報を受信したことを情報端末Ａのユーザに通知する。この通知は例えば、音、振動などで通知することができる。
【００５２】
続いて、ステップＳ４４において、自らの自由情報を読み出す。そして、ステップＳ４５において、自由情報又は中止情報を情報端末Ｂに送信する。
【００５３】
情報端末Ｂでは、ステップＴ４０〜Ｔ４２において、受信した自由情報を情報メモリ２２に記憶すると共に、情報端末Ａのユーザを撮影してその画像を情報メモリ２２に記憶する。そして、ステップＴ４３において、情報の取得が完了した旨の情報を情報端末Ａに送信するとともに、ステップＴ４４において、情報を受信したことを情報端末Ｂのユーザに通知する。この通知は例えば、音、振動などで行うことができる。
【００５４】
情報端末Ａ、Ｂのユーザは、通知を受けた後、表示部１５を確認することにより、所望の情報を所有している情報端末Ｂ、Ａのユーザに関する情報と顔写真を得ることができる。そこで、適切と判断した場合は、互いに情報の提供を求めるように行動を起こすことができる。
【００５５】
なお、上記実施の形態１及び２においては、撮像部２１の撮影は情報取得が完了した時点で実行しているが、標準情報を受信して、受信した標準情報が情報要求条件に当てはまると判断された時点で実行しても良い。この場合、自由情報が取得できない場合があるが、標準情報により相手の基本的な情報は得られているので、ビジネス的なアプローチは可能であろう。
【００５６】
一方、情報取得完了を知らせるアラームは無くてもよい。代わりに情報メモリ２２の空き容量が無くなったり、少なくなったことをアラームで警告するようにしても良い。
【００５７】
［実施の形態の効果］
以上説明したように、上述の各実施の形態によれば、不特定多数の衆人の中から、自ら設定した条件に適合する相手を容易に見つけることができる。
【００５８】
特に第２の実施の形態によれば、相手も当方の情報を必要としているため、互いにギブアンドテイクの精神によって有益な情報が得られることが期待できる。
【００５９】
なお、本実施の形態では、会合などにおいて本発明に係る情報端末装置を使用する態様について説明したが、この態様に限定されず、通常の街中において本装置を適用して、相互に求めるべき相手を容易に選ぶこともできる。
【００６０】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００６１】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００６２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。図３の情報端末装置１から、エンコーダ２３及び発光部１２を除いた構成では、情報取得専用の情報端末装置となる。また、異なる実施形態に亘る構成要素を適宜組み合せてもよい。
【図面の簡単な説明】
【００６３】
【図１】本発明の実施の態様を説明する図。
【図２】本発明の実施の形態に係る情報端末装置の外形図。
【図３】本発明の実施の形態に係る情報端末装置のブロック図。
【図４】情報端末装置を使用した情報の授受手順を示すフロー図。
【図５】情報端末装置を使用した情報の授受手順を示すフロー図。
【図６】初期設定処理の手順を示すフロー図。
【図７】情報端末装置を使用した情報交換の手順を示すフロー図。
【図８】情報端末装置を使用した情報交換の手順を示すフロー図。
【符号の説明】
【００６４】
１…情報端末装置、１１…レンズ、１２…発光部、１３…受光部、１４…アンテナ、１５…表示部、１６…操作部、２０…コントローラ、２２…情報メモリ、２５…通信部、２６…判定部、２７…条件メモリ、２８…アラーム部。
【図１】
2006166026.tif 000003
【図２】
2006166026.tif 000004
【図３】
2006166026.tif 000005
【図４】
2006166026.tif 000006
【図５】
2006166026.tif 000007
【図６】
2006166026.tif 000008
【図７】
2006166026.tif 000009
【図８】
2006166026.tif 000010